(57)【特許請求の範囲】
【請求項１】
画像処理装置であって、
前記画像処理装置にログインするために使用される認証情報を取得する取得手段と、
前記認証情報を記憶する記憶手段と、
前記ログインで使用された認証情報を画像データの送信に用いる設定が有効であった場合に、前記記憶手段によって記憶された認証情報を用いた、画像データのタイマー送信設定を禁止する制御手段と、
を備えることを特徴とする画像処理装置。
【請求項２】
前記制御手段は、前記ログインで使用された認証情報を画像データの送信に用いる設定が有効でなかった場合に、画像データのタイマー送信設定を禁止しないことを特徴とする請求項１に記載の画像処理装置。
【請求項３】
前記制御手段が画像データのタイマー送信設定を禁止することに従ってエラー画面を表示する表示手段を更に備えることを特徴とする請求項１または２に記載の画像処理装置。
【請求項４】
前記表示手段は、前記制御手段が画像データのタイマー送信設定を禁止しないことに従って、前記エラー画面の代わりに画像データの送信時刻を指定するための画面を表示することを特徴とする請求項３に記載の画像処理装置。
【請求項５】
前記制御手段が画像データのタイマー送信設定を禁止することに従って予めユーザが行ったタイマー送信設定を解除する解除手段を更に備えることを特徴とする請求項１乃至４のいずれか１項に記載の画像処理装置。
【請求項６】
前記解除手段は、ユーザからの指示に従ってタイマー送信設定を解除することを特徴とする請求項５に記載の画像処理装置。
【請求項７】
前記画像処理装置からユーザがログアウトすることに従って、前記記憶手段によって記憶された認証情報を削除することを特徴とする請求項１乃至６のいずれか１項に記載の画像処理装置。
【請求項８】
前記画像データを宛先に送信する送信手段と、
前記宛先を受け付ける受付手段と、
を有し、
前記受付手段は、前記宛先の新規の入力を受け付けることに従って、前記記憶手段によって記憶された認証情報を前記宛先の一部として受け付けることを特徴とする請求項１乃至７のいずれか１項に記載の画像処理装置。
【請求項９】
前記画像データを宛先に送信する送信手段と、
前記宛先を受け付ける受付手段と、
前記受付手段で受け付けた宛先の一部を削除する削除手段と、
を有し、
複数の宛先を記憶したアドレス帳が前記記憶手段によって記憶され、
前記受付手段は、前記アドレス帳に記憶された前記複数の宛先のうちユーザによって指定された宛先を受け付け、
前記削除手段は、前記受付手段によって受け付けた前記ユーザによって指定された宛先に含まれる認証情報を削除することを特徴とする請求項１乃至７のいずれか１項に記載の画像処理装置。
【請求項１０】
前記受付手段は、前記削除手段によって削除された認証情報の代わりに、前記記憶手段によって記憶された認証情報を受け付けることを特徴とする請求項９に記載の画像処理装置。
【請求項１１】
画像処理装置の制御方法であって、
前記画像処理装置にログインするために使用される認証情報を取得する取得工程と、
前記認証情報を記憶する記憶工程と、
前記ログインで使用された認証情報を画像データの送信に用いる設定が有効であった場合に、前記記憶工程によって記憶された認証情報を用いた、画像データのタイマー送信設定を禁止する制御工程と、
を備えることを特徴とする画像処理装置の制御方法。
【発明の詳細な説明】
【技術分野】
【０００１】
本発明は、画像データを送信する画像処理装置、及び画像処理装置の制御方法に関する。
【背景技術】
【０００２】
従来、ＭＦＰ（Ｍｕｌｔｉ  Ｆｕｎｃｔｉｏｎ  Ｐｅｒｉｐｈｅｒａｌ）などの画像処理装置から、画像データをファイル送信することが知られている。ファイル送信のための送信プロトコルとして、例えば、ＳＭＢ（Ｓｅｒｖｅｒ  Ｍｅｓｓａｇｅ  Ｂｌｏｃｋ）を用いて画像データを送信することが知られている（特許文献１）。また、ファイル送信のための送信プロトコルの他の例として、ＷｅｂＤＡＶ（Ｄｉｓｔｒｉｂｕｔｅｄ  Ａｕｔｈｏｒｉｎｇ  ａｎｄ  Ｖｅｒｓｉｏｎｉｎｇ  ｐｒｏｔｏｃｏｌ  ｆｏｒ  ｔｈｅ  ＷＷＷ）が知られている。更に他の例として、ＦＴＰ（Ｆｉｌｅ  Ｔｒａｎｓｆｅｒ  Ｐｒｏｔｏｃｏｌ）が知られている。
【０００３】
これらの方法でファイル送信を行う場合、画像データの格納先となるフォルダを管理する装置を示す情報（ホスト名）およびフォルダの位置情報（パス）に加えて、宛先の装置にアクセスするための認証情報（ユーザ名及びパスワード）が必要である。
【先行技術文献】
【特許文献】
【０００４】
【特許文献１】特開２０１１−２３４１２６号公報
【発明の概要】
【発明が解決しようとする課題】
【０００５】
ファイル送信で画像データを送信する宛先の装置が、送信元となる画像処理装置と同一のドメインにある場合、ユーザの認証情報が一元的に管理されている場合が多い。この場合、画像処理装置へのログインに使用する認証情報と、ファイル送信の宛先となる装置へのアクセスに必要となる認証情報が、共通のものとなっていることが考えられる。
【０００６】
認証情報が共通であれば、画像処理装置へのログインのためにユーザが入力した認証情報を、画像データをファイル送信するための認証情報として引き継ぐ（流用する）ことにより、個別に認証情報を入力するユーザの手間を軽減することができる。
【０００７】
一方、画像データの送信に関して、タイマー送信が知られている。タイマー送信とは、画像データの送信がユーザから指示された後、指定時刻になるまで送信せずに待機し、指定時刻になったときに自動的に画像データを送信する機能である。タイマー送信を利用する場合、通常は、画像データが送信されるときにはユーザはすでに画像処理装置からログアウトしている。従って、タイマー送信を利用する際に、上述した認証情報の引き継ぎを行おうとすると、画像処理装置にログインするために入力された認証情報を、ログアウト後も画像処理装置内に保持し続けることになる。しかしながら、ユーザの認証情報をログアウト後も保持し続けるのは、認証情報の漏洩リスクが高まることになり、セキュリティ面で好ましくない。
【０００８】
また、画像データの送信に関して、受信転送も知られている。受信転送とは、受信した画像データを転送するための条件を予めユーザが登録し、その条件に合致する画像データを受信した場合に自動的に転送する機能である。この場合も、やはり通常は、画像データが転送されるときにはユーザは画像処理装置からログアウトしている。従って、タイマー送信について上述したのと同様にセキュリティ面の問題がある。
【０００９】
本発明は、上記の問題点に鑑みなされたものであり、装置へのログインに使用されたパスワードを引き継いで使用する場合に、タイマー送信設定または受信転送設定を禁止する仕組みを提供することを目的とする。
【課題を解決するための手段】
【００１０】
上記の目的を達成するために本発明の画像処理装置は、前記画像処理装置にログインするために使用される認証情報を取得する取得手段と、前記認証情報を記憶する記憶手段と、前記ログインで使用された認証情報を画像データの送信に用いる設定が有効であった場合に、前記記憶手段によって記憶された認証情報を用いた、画像データのタイマー送信設定を禁止する制御手段と、を備えることを特徴とする。
【発明の効果】
【００１１】
本発明によれば、装置へのログインに使用されたパスワードを引き継いで使用する場合に、タイマー送信設定または受信転送設定を禁止することができる。
【図面の簡単な説明】
【００１２】
【図１】本発明の実施形態における画像処理システムの全体図である。
【図２】本発明の実施形態におけるＭＦＰ１０１の構成を示すブロック図である。
【図３】本発明の実施形態における認証サーバ１０２及びファイルサーバ１０３の構成を示すブロック図である。
【図４】本発明の実施形態におけるＭＦＰ１０１の操作画面を示す図である。
【図５】本発明の実施形態におけるＭＦＰ１０１の操作画面を示す図である。
【図６】本発明の実施形態におけるＭＦＰ１０１の操作画面を示す図である。
【図７】本発明の実施形態におけるＭＦＰ１０１の操作画面を示す図である。
【図８】本発明の実施形態におけるＭＦＰ１０１の操作画面を示す図である。
【図９】本発明の実施形態におけるＭＦＰ１０１の操作画面を示す図である。
【図１０】本発明の実施形態におけるＭＦＰ１０１の操作画面を示す図である。
【図１１】本発明の実施形態におけるＭＦＰ１０１のログイン動作を示すフローチャートである。
【図１２】本発明の実施形態におけるＭＦＰ１０１の新規宛先入力動作を示すフローチャートである。
【図１３】本発明の実施形態におけるＭＦＰ１０１のファイル送信動作を示すフローチャートである。
【図１４】本発明の実施形態におけるＭＦＰ１０１の操作画面を示す図である。
【図１５】本発明の実施形態におけるＭＦＰ１０１のタイマー送信動作を示すフローチャートである。
【図１６】本発明の実施形態におけるＭＦＰ１０１のタイマー送信設定を禁止する動作を示すフローチャートである。
【図１７】本発明の実施形態におけるＭＦＰ１０１のファイル送信動作を示すフローチャートである。
【図１８】本発明の実施形態におけるＭＦＰ１０１の操作画面を示す図である。
【図１９】本発明の実施形態におけるＭＦＰ１０１の操作画面を示す図である。
【図２０】本発明の実施形態におけるＭＦＰ１０１の受信転送動作を示すフローチャートである。
【図２１】本発明の実施形態におけるＭＦＰ１０１の受信転送設定を禁止する動作を示すフローチャートである。
【発明を実施するための形態】
【００１３】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１４】
＜第１の実施形態＞
まず、本発明の第１の実施形態について説明する。図１は、画像処理システムの全体図である。ＬＡＮ（Ｌｏｃａｌ  Ａｒｅａ  Ｎｅｔｗｏｒｋ）１００上には、ＭＦＰ１０１、認証サーバ１０２、ファイルサーバ１０３が互いに通信可能に接続されている。ＭＦＰ１０１は、画像処理装置の一例である。認証サーバ１０２は、認証装置の一例である。ファイルサーバ１０３は、ファイル管理装置の一例である。なお、ＭＦＰ１０１は、ファイルサーバ１０３内のフォルダを宛先としてファイル送信を行うことができる。また、ＭＦＰ１０１は、図示しないメールサーバを介して画像データを電子メールで送信することができる。また、ＭＦＰ１０１は、図示しないモデムを介して公衆電話回線網に接続され、ファクシミリ通信により画像データを送受信することができる。
【００１５】
なお、画像処理システムは、ＭＦＰ１０１、認証サーバ１０２、ファイルサーバ１０３を含むものとするが、ＭＦＰ１０１および認証サーバ１０２のみ、或いはＭＦＰ１０１のみを画像処理システムと称することもできる。
【００１６】
図２は、ＭＦＰ１０１の構成を示すブロック図である。ＣＰＵ２１１を含む制御部２１０は、ＭＦＰ１０１全体の動作を制御する。ＣＰＵ２１１は、ＲＯＭ２１２に記憶された制御プログラムを読み出して読取制御や送信制御などの各種制御を行う。ＲＡＭ２１３は、ＣＰＵ２１１の主メモリ、ワークエリア等の一時記憶領域として用いられる。なお、ＭＦＰ１０１の場合は、１つのＣＰＵ２１１が１つのメモリ（ＲＡＭ２１３またはＨＤＤ２１４）を用いて後述するフローチャートに示す各処理を実行するものとするが、他の態様であっても構わない。例えば、複数のＣＰＵや複数のＲＡＭまたはＨＤＤを協働させて後述するフローチャートに示す各処理を実行するようにすることもできる。
【００１７】
ＨＤＤ２１４は、画像データや各種プログラムを記憶する。操作部Ｉ／Ｆ２１５は、操作部２１９と制御部２１０を接続する。操作部２１９には、タッチパネル機能を有する液晶表示部やキーボードなどが備えられ、ユーザからの指示や各種情報の入力を受け付ける受付部として機能する。
【００１８】
プリンタＩ／Ｆ２１６は、プリンタ２２０と制御部２１０を接続する。プリンタ２２０で印刷すべき画像データはプリンタＩ／Ｆ２１６を介して制御部２１０から転送され、プリンタ２２０において記録媒体上に印刷される。
【００１９】
スキャナＩ／Ｆ２１７は、スキャナ２２１と制御部２１０を接続する。スキャナ２２１は、原稿上の画像を読み取って画像データ（画像ファイル）を生成し、スキャナＩ／Ｆ２１７を介して制御部２１０に入力する。ＭＦＰ１０１は、スキャナ２２１で生成された画像データ（画像ファイル）をファイル送信またはメール送信することができる。
【００２０】
ネットワークＩ／Ｆ２１８は、制御部２１０（ＭＦＰ１０１）をＬＡＮ１００に接続する。ネットワークＩ／Ｆ２１８は、ＬＡＮ１００上の外部装置（認証サーバ１０２やファイルサーバ１０３など）に画像データや情報を送信したり、ＬＡＮ１００上の外部装置から各種情報を受信したりする。
【００２１】
図３は、認証サーバ１０２の構成を示すブロック図である。ＣＰＵ３１１を含む制御部３１０は、認証サーバ１０２全体の動作を制御する。ＣＰＵ３１１は、ＲＯＭ３１２に記憶された制御プログラムを読み出して各種制御処理を実行する。ＲＡＭ３１３は、ＣＰＵ３１１の主メモリ、ワークエリア等の一時記憶領域として用いられる。ＨＤＤ３１４は、画像データや各種プログラムを記憶する。
【００２２】
ネットワークＩ／Ｆ３１５は、制御部３１０（認証サーバ１０２）をＬＡＮ１００に接続する。ネットワークＩ／Ｆ３１５は、ＬＡＮ１００上の他の装置との間で各種情報を送受信する。なお、ファイルサーバ１０３の構成は、認証サーバ１０２と同様（図３）であるため、説明は省略する。
【００２３】
図４は、操作部２１９に表示される操作画面の一例を示す図である。ユーザは、図４の画面において、操作キー４０１または４０２を操作することにより、機能を選択することができる。図４は、操作キー４０１が選択された状態を示している。なお、図４では、機能として「スキャンして送信」「コピー」を例示しているが、ＭＦＰ１０１がこれら以外の機能を備えていてもよい。
【００２４】
操作キー４０１を選択したユーザは、操作キー４１１または４１２を操作することにより、送信する画像データの宛先を設定することができる。操作キー４１１を操作すると、ＨＤＤ２１４に保持されているアドレス帳の内容が表示され、ユーザは、アドレス帳に登録された内容を参照し、画像データの宛先を指定することができる。
【００２５】
操作キー４１２を操作すると、ユーザからの新規の宛先情報の入力を受け付ける画面が表示される。ユーザは、表示された画面を介して宛先情報を入力し、画像データの宛先を指定することができる。なお、図示しないが、ワンタッチキーの一覧を表示させるための操作キーを備えるようにしても良い。ワンタッチキーには１つまたは複数の宛先が予め対応付けられており、ユーザは、所望のワンタッチキーを操作することにより、ワンタッチキーに対応付けられている内容を、画像データの宛先として指定することができる。
【００２６】
操作キー４２１は、カラー／モノクロなどの読取設定を行う場合に使用する操作キーである。操作キー４２２は、読取解像度を設定する場合に使用する操作キーである。操作キー４２３は、送信する画像データのファイル形式を設定する場合に使用する操作キーである。操作キー４２４は、片面／両面読取の設定を行う場合に使用する操作キーである。操作キー４２５は、読取サイズを設定する場合に使用する操作キーである。
【００２７】
操作キー４２６は、タイマー送信を設定する場合に使用する操作キーである。タイマー送信とは、ユーザが画像データの送信を指示したときに、すぐに送信を実行するのではなく、ユーザが指定した時刻まで待って自動的に送信を行う機能である。操作キー４２６を操作すると、図５に示すように画面が遷移する。ユーザは、図５の画面を介して画像データの送信時刻を指定することができる。
【００２８】
図６は、操作部２１９に表示される操作画面の一例を示す図である。図６に示す操作画面は、図４の操作キー４１２が操作された場合に表示される。ユーザは、操作キー６０１乃至６０４のいずれかを操作することにより、画像データの送信方法を選択することができる。画像データを電子メールに添付して送信する場合は、ユーザは操作キー６０１を操作する。画像データをファクス（Ｇ３ファクス）で送信する場合は、ユーザは操作キー６０２を操作する。画像データをインターネットファクスで送信する場合は、ユーザは操作キー６０３を操作する。インターネットファクスとは、ファクス形式の画像データを電子メールに添付して送信する方法である。画像データをファイル送信する場合は、ユーザは操作キー６０４を操作する。
【００２９】
図７は、操作部２１９に表示される操作画面の一例を示す図である。図７に示す操作画面は、図６の操作キー６０４が操作された場合に表示される。情報７０１及び７０２は、画像データの宛先となるフォルダを特定するための情報（ホスト名及びパス）である。情報７０３及び７０４は、情報７０１及び７０２によって特定されるフォルダにアクセスするために必要な認証情報（ユーザ名及びパスワード）である。
【００３０】
ＭＦＰ１０１のユーザは、図７に示す操作画面を介して、ファイル送信のための新規の宛先情報を入力し、画像データの宛先として指定することができる。一方、送信毎に新規に宛先情報を入力する手間を省くために、図７で入力するのと同様の情報を予めアドレス帳に登録しておくこともできる。
【００３１】
図８は、操作部２１９に表示される操作画面の一例を示す図である。図８に示す操作画面は、ファイル送信のための宛先情報をアドレス帳に登録するときに表示される。情報８０１乃至８０４は、情報７０１乃至７０４として説明したものと同様である。図８に示す操作画面には、さらに情報８０５の入力欄が設けられている。
【００３２】
情報８０５は、情報８０３及び８０４の認証情報を、送信毎にユーザに確認させるか否かを示す情報である。情報８０５が「ＯＮ」に設定されると、実際に画像データを送信するときに、ユーザによる認証情報の確認が求められる。
【００３３】
図９は、操作部２１９に表示される操作画面の一例を示す図である。図９に示す操作画面は、管理者のみが操作可能であり、一般のユーザがＭＦＰ１０１を操作する場合には表示されない。管理者は、図９の画面を介して、認証情報の引き継ぎに関する設定を行う。
【００３４】
管理者が操作キー９０１を操作すると、認証情報の引き継ぎは行われない。管理者が操作キー９０２を操作すると、認証情報の引き継ぎが行われる。認証情報の引き継ぎとは、ユーザがＭＦＰ１０１にログインするために入力した認証情報を、ファイル送信のための認証情報としてユーザに提示し、使用できるようにすることである。管理者が操作キー９０３を操作すると、予めユーザ毎に登録しておいた認証情報（図１０を用いて後述）が、ファイル送信のための認証情報として提示される。
【００３５】
図１０は、操作部２１９に表示される操作画面の一例を示す図である。図１０の画面は、一般のユーザがＭＦＰ１０１を操作する場合に表示される。ユーザは、情報１００１及び１００２として、画像データをファイル送信する場合の認証情報（ユーザ名及びパスワード）を登録しておくことができる。このようにして登録した認証情報が、図９の「ユーザ毎に登録」が選択された場合に使用される。図１０には、「Ａ１００１」という識別子で管理された１人のユーザに対して情報１００１及び１００２を登録する例を示すが、他のユーザに対しても同様に、情報１００１及び１００２を登録することができる。なお、情報１００１及び１００２は、ＨＤＤ２１４に記憶される。
【００３６】
図１１は、ＭＦＰ１０１におけるログイン動作（ユーザがＭＦＰ１０１の使用を開始するときの一連の動作）を説明するフローチャートである。図１１のフローチャートに示す各動作（ステップ）は、ＭＦＰ１０１のＣＰＵ２１１がＨＤＤ２１４に記憶された制御プログラムを実行することにより実現される。
【００３７】
ステップＳ１１０１では、操作部２１９に表示した画面を介して、ユーザからの認証情報（ユーザ名及びパスワード）の入力を受け付ける。
【００３８】
ステップＳ１１０２では、ステップＳ１１０１で受け付けた認証情報を認証サーバ１０２に送信し、ユーザ認証を依頼する（ユーザによるＭＦＰ１０１の使用可否を問い合わせる）。ステップＳ１１０３では、認証サーバ１０２から通知される内容が、認証ＯＫであるか認証ＮＧであるかを判定する。この結果、認証ＯＫである場合には、ユーザによるＭＦＰ１０１の使用を許可し、ステップＳ１１０４に進む。一方、認証ＮＧである場合にはそのまま処理を終了する（或いは、ステップＳ１１０１に戻り、認証情報を入力するための画面を再表示する）。ステップＳ１１０４では、ステップＳ１１０１で受け付けた認証情報をＲＡＭ２１３またはＨＤＤ２１４に記憶する。以上の処理により、ユーザによるＭＦＰ１０１の使用が開始される。
【００３９】
次に、ステップＳ１１０５では、ユーザからログアウトの指示があったか否かを判定する。ログアウトの指示があった場合は、ステップＳ１１０６に進む。ステップＳ１１０６では、ステップＳ１１０４でＲＡＭ２１３またはＨＤＤ２１４に記憶した認証情報を消去する。
【００４０】
図１２は、ＭＦＰ１０１における新規宛先入力動作を説明するフローチャートである。図１２のフローチャートに示す各動作（ステップ）は、ＭＦＰ１０１のＣＰＵ２１１がＨＤＤ２１４に記憶された制御プログラムを実行することにより実現される。また、図１２のフローチャートは、操作キー４１２が操作されたときに開始される。
【００４１】
ステップＳ１２０１では、新規に入力される宛先がファイル送信の宛先であるか否かを判定する。図６の操作画面で操作キー６０１乃至６０３が操作された場合は、新規に入力される宛先がファイル送信の宛先でないと判定し、ステップＳ１２０２に進む。ステップＳ１２０２では、Ｅメール、ファクス、またはインターネットファクスに関する宛先情報の入力を受け付ける。
【００４２】
一方、図６の操作画面で操作キー６０４が操作された場合は、新規に入力される宛先がファイル送信の宛先であると判定し、ステップＳ１２０３に進む。ステップＳ１２０３では、認証情報の引き継ぎに関する設定の内容を判定する。図９の操作画面で操作キー９０１が操作されている場合は、ステップＳ１２０４に進む。図９の操作画面で操作キー９０２が操作されている場合は、ステップＳ１２０５に進む。図９の操作画面で操作キー９０３が操作されている場合は、ステップＳ１２０６に進む。
【００４３】
ステップＳ１２０４では、認証情報の引き継ぎを行わず、情報７０３及び７０４が空欄の状態で図７の操作画面を表示する。
【００４４】
ステップＳ１２０５では、認証情報の引き継ぎを行う。具体的には、ステップＳ１１０１で受け付けた認証情報（ステップＳ１１０４で記憶した認証情報）を読み出し、情報７０３及び７０４としてプリセットした状態で図７の操作画面を表示する。ＭＦＰ１０１へログインするためにユーザが入力した認証情報を図７の操作画面にプリセットすることで、同じ認証情報を何度もユーザが入力する手間を省くことができる。
【００４５】
ステップＳ１２０６では、現在ＭＦＰ１０１を操作しているユーザに対応付けて認証情報が登録されているか否かを判定する。具体的には、図１０の情報１００１及び１００２が登録されているか否かを判定する。ステップＳ１２０６の判定の結果、認証情報が登録されている場合は、ステップＳ１２０８に進み、図１０の操作画面を介して登録されているユーザ名及びパスワードを、情報７０３及び７０４にプリセットした状態で図７の操作画面を表示する。
【００４６】
一方、認証情報が登録されていない場合は、ステップＳ１２０７に進む。ステップＳ１２０７では、ステップＳ１１０１で受け付けた認証情報（ステップＳ１１０４で記憶した認証情報）のうちのユーザ名を読み出し、情報７０３にプリセットした状態で図７の操作画面を表示する。このとき、情報７０４は空欄の状態とする。なお、このとき、情報７０３も空欄の状態としても良い。
【００４７】
ステップＳ１２０４、Ｓ１２０５、Ｓ１２０７、Ｓ１２０８で図７の操作画面を表示する際は、いずれの場合も、情報７０１及び７０２は空欄の状態となっている。ステップＳ１２０９では、情報７０１乃至７０４のユーザからの入力、或いはプリセットされている内容の変更を受け付ける。
【００４８】
ステップＳ１２１０では、新規宛先の入力が完了したか否かを判定する。ユーザが完了を指示した場合は、処理を終了する（或いは、その他の宛先の指定を続けて受け付ける）。ユーザが完了を指示しない場合は、ステップＳ１２０９に戻る。
【００４９】
図１３は、ＭＦＰ１０１におけるファイル送信動作を説明するフローチャートであり、画像データの宛先を指定した後、図示しないスタートキーが操作された場合に開始される。図１３のフローチャートに示す各動作（ステップ）は、ＭＦＰ１０１のＣＰＵ２１１がＨＤＤ２１４に記憶された制御プログラムを実行することにより実現される。
【００５０】
ステップＳ１３０１では、指定されている宛先がファイル送信の宛先であるか否かを判定する。ファイル送信でなければ、ステップＳ１３０２に進み、Ｅメール、ファクス、またはインターネットファクスによる画像データの送信を実行する。ファイル送信であれば、ステップＳ１３０３に進む。
【００５１】
ステップＳ１３０３では、指定されている宛先が、アドレス帳を用いて指定されたものであるか、新規に入力されたものであるかを判定する。アドレス帳を用いて指定されたものであればステップＳ１３０４に進み、新規に入力されたものであればステップＳ１３１３に進む。
【００５２】
ステップＳ１３０４では、送信毎にユーザに認証情報を確認させることになっているか否か（図８の情報８０５として説明したもの）を判定する。この判定の結果、送信毎にユーザに認証情報を確認させることが設定されている場合はステップＳ１３０５に進み、そうでない場合はステップＳ１３１３に進む。
【００５３】
ステップＳ１３０５では、認証情報の引き継ぎに関する設定の内容を判定する。図９の操作画面で操作キー９０１が操作されている場合は、ステップＳ１３０６に進む。図９の操作画面で操作キー９０２が操作されている場合は、ステップＳ１３０７に進む。図９の操作画面で操作キー９０３が操作されている場合は、ステップＳ１３０８に進む。
【００５４】
ステップＳ１３０６では、図１４の操作画面を表示する。図１４の画面は、送信時にユーザに認証情報の内容を確認させるための画面である。
【００５５】
ステップＳ１３０６では、情報８０３及び８０４としてアドレス帳に登録されていたものが削除され、図１４の情報１４０３及び１４０４が空欄の状態で表示される。この場合、情報１４０３及び１４０４は、ユーザが入力しなければならない。
【００５６】
ステップＳ１３０７では、認証情報の引き継ぎを行う。具体的には、情報８０３及び８０４としてアドレス帳に登録されていたものが削除され、ステップＳ１１０１で受け付けた認証情報（ステップＳ１１０４で記憶した認証情報）を読み出し、情報１４０３及び１４０４にプリセットした状態で図１４の画面を表示する。ＭＦＰ１０１へログインするためにユーザが入力した認証情報を図１４の操作画面にプリセットすることで、同じ認証情報を何度もユーザが入力する手間を省くことができる。
【００５７】
ステップＳ１３０８では、現在ＭＦＰ１０１を操作しているユーザに対応付けて認証情報が登録されているか否かを判定する。具体的には、図１０の情報１００１及び１００２が登録されているか否かを判定する。ステップＳ１３０８の判定の結果、認証情報が登録されている場合はステップＳ１３１０に進む。ステップＳ１３１０では、情報８０３及び８０４としてアドレス帳に登録されていたものが削除され、図１０の操作画面を介して登録されているユーザ名及びパスワードが、情報１４０３及び１４０４にプリセットされた状態で図１４の操作画面を表示する。
【００５８】
一方、認証情報が登録されていない場合は、ステップＳ１３０９に進む。ステップＳ１３０９では、情報８０３及び８０４として登録されていたものが削除され、ステップＳ１１０１で受け付けた認証情報（ステップＳ１１０４で記憶した認証情報）のうちのユーザ名を情報１４０３にプリセットした状態で図１４の操作画面を表示する。このとき、情報１４０４は空欄の状態とする。なお、このとき、情報１４０３も空欄の状態としても良い。
【００５９】
ステップＳ１３０６、Ｓ１３０７、Ｓ１３０９、Ｓ１３１０で図１４の操作画面を表示する際は、いずれの場合も、情報１４０１及び１４０２には、情報８０１及び８０２としてアドレス帳に登録されている情報がプリセットされる。ステップＳ１３１１では、情報１４０３及び１４０４のユーザからの入力、或いはプリセットされている内容の変更を受け付ける。続くステップＳ１３１２では、ユーザから送信指示があったかどうかを判定し、送信指示があればステップＳ１３１３に進み、なければステップＳ１３１１に戻る。
【００６０】
ステップＳ１３１３では、操作キー４２６を用いたタイマー送信が設定されているか否かを判定する。タイマー送信が設定されていればステップＳ１３１５に進み、設定されていなければステップＳ１３１４に進む。
【００６１】
ステップＳ１３１４では、画像データをファイル送信する。具体的には、図１４の情報１４０１により示されるファイルサーバに接続し、図１４の情報１４０２により示されるパスを用いて画像データの格納先となるフォルダを特定する。また、図１４の情報１４０３及び１４０４として設定された認証情報を用いてファイルサーバへのログイン（フォルダへのアクセス）を行い、画像データをファイルサーバへ送信（フォルダへ格納）する。なお、ステップＳ１３０４でＮｏと判定されてステップＳ１３１３に進んだ場合は、図８の情報８０３及び８０４として設定された認証情報が、ファイルサーバへのログイン（フォルダへのアクセス）に用いられる。
【００６２】
ステップＳ１３１５では、ユーザが指定した時刻に画像データを送信するようにタイマー送信を設定する（この段階では画像データは送信されない）。
【００６３】
図１５は、ＭＦＰ１０１におけるタイマー送信動作を説明するフローチャートであり、ＭＦＰ１０１において定期的かつ自動的に開始される。図１５のフローチャートに示す各動作（ステップ）は、ＭＦＰ１０１のＣＰＵ２１１がＨＤＤ２１４に記憶された制御プログラムを実行することにより実現される。
【００６４】
ステップＳ１５０１では、タイマー送信設定された画像データの有無を判定する。判定の結果、タイマー送信設定された画像データがあればステップＳ１５０２に進み、なければ処理を終了する。ステップＳ１５０２では、タイマー送信設定された画像データの送信時刻になっているか否かを判定する。判定の結果、タイマー送信設定された画像データの送信時刻になっていればステップＳ１５０３に進み、なっていなければ処理を終了する。ステップＳ１５０３では、図１３のステップＳ１３１４と同様に画像データをファイル送信する。
【００６５】
図１６は、ＭＦＰ１０１におけるタイマー送信設定を禁止する動作を説明するフローチャートであり、図４の操作キー４２６が操作された場合に開始される。図１６のフローチャートに示す各動作（ステップ）は、ＭＦＰ１０１のＣＰＵ２１１がＨＤＤ２１４に記憶された制御プログラムを実行することにより実現される。
【００６６】
ステップＳ１６０１では、認証情報の引き継ぎに関する設定の内容を判定する。図９の操作画面で操作キー９０１または９０３が操作されている場合（つまり、「標準」または「ユーザ毎に登録」が選択されている場合）は、ステップＳ１６０２に進む。ステップＳ１６０２では、図５の画面を表示し、ユーザからの指定時刻の入力を受け付ける。ステップＳ１６０３では、ユーザが指定した時刻をＲＯＭ２１２またはＨＤＤ２１４に記憶する。
【００６７】
一方、ステップＳ１６０１の判定の結果、図９の操作画面で操作キー９０２が操作されている場合（つまり、「本体ログイン時の認証情報を引き継ぎ」が選択されている場合）は、ステップＳ１６０４に進む。ステップＳ１６０４では、タイマー送信設定が禁止されている旨のメッセージを含むエラー画面を表示する。
【００６８】
なお、ここでは認証情報の引き継ぎに関する設定の内容を操作キー４２６が操作された後に判定し、エラー画面を表示する例を説明したが、他の態様であっても構わない。例えば、操作キー４２６が操作される前に判定を行い、「本体ログイン時の認証情報を引き継ぎ」が選択されている場合は操作キー４２６を表示しない（或いは、操作不可能な状態で表示する）ことでタイマー送信設定を禁止するようにしても良い。
【００６９】
＜第２の実施形態＞
第１の実施形態では、図４の画面で操作キー４２６を操作するタイミングでタイマー送信設定を禁止する例を説明した。これに対して第２の実施形態では、図４及び図５の画面を介してタイマー送信設定を一旦受け付け、その後、スタートキーが操作された場合にタイマー送信設定を禁止する例を説明する。なお、第１の実施形態と同様の構成については共通の参照番号を付して説明する。
【００７０】
図１７は、ＭＦＰ１０１におけるファイル送信動作を説明するフローチャートであり、画像データの宛先を指定した後、図示しないスタートキーが操作された場合に開始される。図１７のフローチャートに示す各動作（ステップ）は、ＭＦＰ１０１のＣＰＵ２１１がＨＤＤ２１４に記憶された制御プログラムを実行することにより実現される。
【００７１】
図１３のフローチャートと比較すると、図１７のフローチャートには、ステップＳ１７０１乃至Ｓ１７０３が追加されていることが分かる。
【００７２】
ステップＳ１３１３でタイマー送信が設定されているか否かを判定した結果、タイマー送信が設定されていればステップＳ１７０１に進む。ステップＳ１７０１では、認証情報の引き継ぎに関する設定の内容を判定する。図９の操作画面で操作キー９０１または９０３が操作されている場合（つまり、「標準」または「ユーザ毎に登録」が選択されている場合）は、ステップＳ１３１５に進む。ステップＳ１３１５では、ユーザが指定した時刻に画像データを送信するようにタイマー送信を設定する（この段階では画像データは送信されない）。
【００７３】
一方、ステップＳ１７０１の判定の結果、図９の操作画面で操作キー９０２が操作されている場合（つまり、「本体ログイン時の認証情報を引き継ぎ」が選択されている場合）は、ステップＳ１７０２に進む。ステップＳ１７０２では、タイマー送信の設定を解除するか否かを判定する。ここでは、タイマー送信設定の解除をするか否かをユーザが指示するための画面を表示し、解除するか否かをユーザに問い合わせる。ユーザが解除を指示すれば、ステップＳ１３１４に進み、画像データのファイル送信を実行する。一方、ユーザが解除を指示しなければ、ステップＳ１７０３に進み、タイマー送信設定が禁止されている旨のメッセージを含むエラー画面を表示する。
【００７４】
＜第３の実施形態＞
第１及び第２の実施形態では、タイマー送信設定を禁止する例を説明した。これに対して第３の実施形態では、受信転送設定を禁止する例を説明する。なお、第１の実施形態と同様の構成については共通の参照番号を付して説明する。
【００７５】
図１８は、操作部２１９に表示される操作画面の一例を示す図である。図１８に示す操作画面は、転送設定を行うときに表示される。情報１８０１は、どのような受信方法で画像データを受信したときに転送を実行するかを示す情報である。ＭＦＰ１０１は、ファクスまたはインターネットファクスで画像データを受信することができ、ユーザは、ドロップダウン形式で表示される選択肢から、所望の受信方法を選択することができる。
【００７６】
情報１８０２は、どのような条件で受信したときに転送を実行するかを示す情報である。情報１８０１でファクスを選択すると、情報１８０２には、例えば「発信元番号が０３−１２３４−５６７８」という条件を設定することができる。この場合、０３−１２３４−５６７８というファクス番号の装置から画像データを受信した場合に、画像データの転送が実行される。情報１８０１でＩファクスを選択した場合は、例えば「発信元アドレスがａｂｃ＠ｂｂｂ．ｃｏ．ｊｐ」という条件を設定することができる。
【００７７】
情報１８０３は、画像データの転送先を示す情報である。ユーザが情報１８０３の入力欄をタッチすると図１９に示す転送先入力画面が表示される。なお、ここでは受信した画像データをファイル送信で転送する場合を例に説明する。ここで、図１９の画面に予め表示される（プリセットされる）内容は、認証情報の引き継ぎの設定に応じて切り替えられる。図９の操作画面で操作キー９０１が操作されている場合は、情報１９０３及び１９０４が空欄の状態で表示される。この場合、情報１９０３及び１９０４は、ユーザが入力しなければならない。
【００７８】
図９の操作画面で操作キー９０２が操作されている場合は、ステップＳ１１０１で受け付けた認証情報（ステップＳ１１０４で記憶した認証情報）を読み出し、情報１９０３及び１９０４にプリセットした状態で図１９の画面を表示する。ＭＦＰ１０１へログインするためにユーザが入力した認証情報を図１９の操作画面にプリセットすることで、同じ認証情報を何度もユーザが入力する手間を省くことができる。
【００７９】
図９の操作画面で操作キー９０３が操作されている場合であって、図１０の情報１００１及び１００２が登録されている場合は、情報１００１及び１００２を情報１９０３及び１９０４にプリセットした状態で図１９の操作画面を表示する。なお、図１０の情報１００１及び１００２が登録されていない場合は、ステップＳ１１０１で受け付けた認証情報（ステップＳ１１０４で記憶した認証情報）のうちのユーザ名を情報１９０３にプリセットした状態で図１９の操作画面を表示する。このとき、情報１９０４は空欄の状態とする。なお、このとき、情報１９０３も空欄の状態としても良い。
【００８０】
ユーザは、情報１９０１乃至１９０４の入力、或いはプリセットされている内容の変更をし、受信転送設定を完了する。
【００８１】
図２０は、受信した画像データを転送する動作を説明するフローチャートである。図２０のフローチャートに示す各動作（ステップ）は、ＭＦＰ１０１のＣＰＵ２１１がＨＤＤ２１４に記憶された制御プログラムを実行することにより実現される。
【００８２】
ステップＳ２００１では、画像データを受信する。ステップＳ２００２では、転送設定を１つ取り出す。ステップＳ２００３では、取り出した転送設定の情報１８０２を参照し、ステップＳ２００１での受信が情報１８０２の条件に合致するか否かを判定する。判定の結果、ステップＳ２００１での受信が情報１８０２の条件に合致する場合はステップＳ２００４に進み、そうでなければステップＳ２００５に進む。
【００８３】
ステップＳ２００４では、ステップＳ２００１で受信した画像データのファイル送信による転送を実行する。ファイル送信の具体的な処理としては、情報１９０１が示すホスト名に対応するファイルサーバ１０３に接続し、情報１９０３及び１９０４の認証情報を用いてファイルサーバ１０３へのログイン（フォルダへのアクセス）を行う。ファイルサーバ１０３へのログインが成功すると、画像データをファイルサーバ１０３へ送信（情報１９０２が示すフォルダへ格納）する。
【００８４】
ステップＳ２００５では、他の転送設定が有るか否かを判定し、あればステップＳ２００２に戻り、なければ処理を終了する。
【００８５】
図２１は、ＭＦＰ１０１における受信転送設定を禁止する動作を説明するフローチャートであり、図１８の画面を表示させるための操作がなされた場合に開始される。図２１のフローチャートに示す各動作（ステップ）は、ＭＦＰ１０１のＣＰＵ２１１がＨＤＤ２１４に記憶された制御プログラムを実行することにより実現される。
【００８６】
ステップＳ２１０１では、認証情報の引き継ぎに関する設定の内容を判定する。図９の操作画面で操作キー９０１または９０３が操作されている場合（つまり、「標準」または「ユーザ毎に登録」が選択されている場合）は、ステップＳ２１０２に進む。ステップＳ２１０２では、図１８の画面を表示し、ユーザからの転送設定の入力を受け付ける。ステップＳ２１０３では、転送設定をＲＯＭ２１２またはＨＤＤ２１４に記憶する。
【００８７】
一方、ステップＳ２１０１の判定の結果、図９の操作画面で操作キー９０２が操作されている場合（つまり、「本体ログイン時の認証情報を引き継ぎ」が選択されている場合）は、ステップＳ２１０４に進む。ステップＳ２１０４では、受信転送設定が禁止されている旨のメッセージを含むエラー画面を表示する。
【００８８】
なお、ここでは、「本体ログイン時の認証情報を引き継ぎ」が選択されている場合に、受信転送設定を一律に禁止するようにしているが、他の態様であっても構わない。例えば、「本体ログイン時の認証情報を引き継ぎ」が選択されている場合であっても、転送先がファイル送信の宛先でない場合は、受信転送設定を禁止しないようにしても良い。
【００８９】
＜他の実施形態＞
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００９０】
この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【００９１】
１０１  ＭＦＰ
２１０  制御部
２１１  ＣＰＵ
２１２  ＲＯＭ
２１３  ＲＡＭ
２１４  ＨＤＤ
【図１】
0006552558.tif 000002
【図２】
0006552558.tif 000003
【図３】
0006552558.tif 000004
【図４】
0006552558.tif 000005
【図５】
0006552558.tif 000006
【図６】
0006552558.tif 000007
【図７】
0006552558.tif 000008
【図８】
0006552558.tif 000009
【図９】
0006552558.tif 000010
【図１０】
0006552558.tif 000011
【図１１】
0006552558.tif 000012
【図１２】
0006552558.tif 000013
【図１３】
0006552558.tif 000014
【図１４】
0006552558.tif 000015
【図１５】
0006552558.tif 000016
【図１６】
0006552558.tif 000017
【図１７】
0006552558.tif 000018
【図１８】
0006552558.tif 000019
【図１９】
0006552558.tif 000020
【図２０】
0006552558.tif 000021
【図２１】
0006552558.tif 000022